(57)【要約】【課題】ＩＰ−ＰＢＸの局線回線が全話中状態となった場合に、通話状態にある端末の呼を切断することなく、かつ切替ユニットを使用すること無く、新たな呼の発信を可能とする。【解決手段】通信システムは、ＩＰネットワークに接続した第１及び第２のＩＰ−ＰＢＸと、第１及び第２のＩＰ−ＰＢＸのいずれか１つに選択的に接続される複数のＩＰ端末と、を備えている。そして、第１のＩＰ−ＰＢＸは、第１のＩＰ−ＰＢＸに接続された通信回線が全使用中状態となった場合に、複数のＩＰ端末のうち第１のＩＰ−ＰＢＸに接続された少なくとも１つの第１のＩＰ端末に対して回線全使用中情報を通知するよう動作し、第１のＩＰ端末は、回線全使用中情報を受けたことに応答して、外線通話を行うために、前記第２のＩＰ−ＰＢＸに接続先を変更するよう動作するとともに、第２のＩＰ−ＰＢＸに対して外線通話のための発信を行うよう構成されている。【選択図】図１
2014068248.tif 000002
【特許請求の範囲】
【請求項１】
ＩＰネットワークに接続した第１及び第２のＩＰ−ＰＢＸと、
前記第１及び第２のＩＰ−ＰＢＸのいずれか１つに選択的に接続される複数のＩＰ端末と、
を備え、
前記第１のＩＰ−ＰＢＸは、前記第１のＩＰ−ＰＢＸに接続された通信回線が全使用中状態となった場合に、前記複数のＩＰ端末のうち前記第１のＩＰ−ＰＢＸに接続された少なくとも１つの第１のＩＰ端末に対して回線全使用中情報を通知するよう動作し、
前記第１のＩＰ端末は、前記回線全使用中情報を受けたことに応答して、外線通話を行うために、前記第２のＩＰ−ＰＢＸに接続先を変更するよう動作するとともに、前記第２のＩＰ−ＰＢＸに対して前記外線通話のための発信を行うよう動作する、
通信システム。
【請求項２】
前記第１のＩＰ端末は、前記外線通話の終了後に、前記第２のＩＰ−ＰＢＸから前記第１のＩＰ−ＰＢＸへ接続先を再度変更するよう動作する、請求項１に記載の通信システム。
【請求項３】
前記第１のＩＰ−ＰＢＸは、前記第１のＩＰ端末からの発信を受信したことに応答して、前記回線全使用中情報を前記第１のＩＰ端末に送信し、
前記第１のＩＰ端末は、前記回線全使用中情報の受信に応答して外線通話を行うため発信を前記第２のＩＰ−ＰＢＸに再送する、
請求項１又は２に記載の通信システム。
【請求項４】
ＩＰネットワークを通じて、第２のＩＰ−ＰＢＸと通信可能であり、かつ複数のＩＰ端末に接続可能な、制御部を備えた、第１のＩＰ−ＰＢＸであって、
前記制御部は、
前記複数のＩＰ端末と接続状態となるよう動作し、
前記第１のＩＰ−ＰＢＸに接続された通信回線が全使用中状態となった場合に、
前記複数のＩＰ端末のうち少なくとも１つの第１のＩＰ端末に対して回線全使用中情報を通知するよう動作する、
ＩＰ−ＰＢＸ。
【請求項５】
ＩＰネットワークを通じて、第１のＩＰ−ＰＢＸに接続され、かつ複数のＩＰ端末に接続可能な、制御部を備えた、第２のＩＰ−ＰＢＸであって、
前記制御部は、
前記第１のＩＰ端末が前記回線全使用中情報の通知を受け、前記第１のＩＰ端末から接続要求された場合に、
前記ＩＰ端末と接続するよう動作する、
ＩＰ−ＰＢＸ。
【請求項６】
ＩＰネットワークに接続した、第１及び第２のＩＰ−ＰＢＸのいずれか１つに選択的に接続される、制御部を備えた、ＩＰ端末であって、
前記制御部は、
前記第１のＩＰ−ＰＢＸと接続状態にあり、
前記第１のＩＰ−ＰＢＸから前記回線全使用中情報の通知を受信した場合に、
外線通話を行うために、前記第２のＩＰ−ＰＢＸに接続先を変更するよう動作し、
前記第２のＩＰ−ＰＢＸに対して前記外線通話のための発信を行うよう動作する、
ＩＰ端末
【請求項７】
前記制御部は、
前記外線通話の終了後に、前記第２のＩＰ−ＰＢＸから前記第２のＩＰ−ＰＢＸへ接続先を再度変更するよう動作する、
請求項６に記載のＩＰ端末。
【請求項８】
ＩＰネットワークを通じて、第２のＩＰ−ＰＢＸと通信可能であり、かつ複数のＩＰ端末に接続可能な第１のＩＰ−ＰＢＸの制御方法であって、
前記複数のＩＰ端末と接続状態となるよう動作すること、
前記複数のＩＰ−ＰＢＸに接続された通信回線が全使用中状態となった場合に、
前記複数のＩＰ端末のうち前記第１のＩＰ−ＰＢＸに接続された少なくとも１つの第１のＩＰ端末に対して回線全使用中情報を通知するよう動作すること、
を含む、
ＩＰ−ＰＢＸの制御方法。
【請求項９】
ＩＰネットワークを通じて、第１のＩＰ−ＰＢＸと通信可能であり、かつ複数のＩＰ端末に接続可能な第２のＩＰ−ＰＢＸの制御方法あって、
前記第１のＩＰ端末が前記回線全使用中情報の通知を受け、前記第１のＩＰ端末から接続要求された場合に、
前記ＩＰ端末と接続するよう動作すること、
を含む、
ＩＰ−ＰＢＸの制御方法。
【請求項１０】
ＩＰネットワークに接続した第１及び第２のＩＰ−ＰＢＸと、
第１及び第２のＩＰ−ＰＢＸのいずれか１つに選択的に接続される
ＩＰ端末の制御方法であって、
前記制御方法は、
前記第１のＩＰ−ＰＢＸと接続状態にあり、
前記第１のＩＰ−ＰＢＸから前記回線全使用中情報の通知を受信した場合に、
外線通話を行うために、前記第２のＩＰ−ＰＢＸに接続先を変更するよう動作すること、
前記第２のＩＰ−ＰＢＸに対して前記外線通話のための発信を行うよう動作すること、
を含む、
ＩＰ端末の制御方法。
【発明の詳細な説明】
【技術分野】
【０００１】
本発明は、ＩＰ−ＰＢＸに接続されているＩＰ端末を使用したシステムに関するものである。
【背景技術】
【０００２】
既存の電話網を使用した一般的な企業の電話システムは、内線電話網と外線がＰＢＸ(Private Branch eXchange：構内交換機)に接続され、制御されている。内線通話や代表電話、保留、転送などの機能はＰＢＸが提供している。一方、近年インターネットを利用したＩＰ（Internet Protocol)電話が普及している。ＩＰ電話も、内線電話や外部公衆網への接続・制御を行うためにＰＢＸの機能が必要となる。これに対応するものとして、ＩＰ−ＰＢＸがある。
【０００３】
ＩＰ−ＰＢＸはＬＡＮ等のＩＰネットワークに接続したサーバで構成されている。ＩＰ−ＰＢＸを使うと、既存のＬＡＮ等のＩＰネットワーク設備を利用できるため、内線電話網を敷設する必要がなくなる。また、内線電話網とコンピュータネットワークを統合することで、運用コストを削減できる。また、電話とＰＣを接続し、電話にＰＣソフトで機能を付加するなどＰＣと連携させた使用方法が可能となる。
【０００４】
ＩＰ電話も内線電話の使用中に、回線が全て話中（使用中）の場合がある。特許文献１には、自ＰＢＸの回線全話中の際に、新たに発信する技術が記載されている。これは、回線全話中時に発信操作を行った端末が、全話中を確認した後、優先発信操作を行い、一番長く通話しているトランク（回線）を切断して、トランクに空きを作って発信する技術である。
【０００５】
この技術によると、全話中の状態でトランクに空きがない場合に優先度の高い呼を回線に繋ぐ方法として、既に通話状態にある接続を切断し、トランクに空きを作り、発信している。しかし、この方法では、先に発信し、通話状態にあった呼が切断されてしまうという問題がある。
【０００６】
また、特許文献２には、アナログ回線を使用した、２台のアナログＰＢＸ（マスターＰＢＸとスレーブＰＢＸ）により構築されたシステムの、１台のＰＢＸが故障した際の発信技術が記載されている。これは、特定の端末と特定の公衆回線に対して、切替ユニットを用いたバックアップを行い、１台のＰＢＸが故障した場合、別のＰＢＸで発信を可能とする技術である。
【０００７】
この技術によると、切替ユニットを用いることで、端末の接続先を切り替えている。しかし、ＬＡＮケーブルを使用してＰＢＸに接続するＩＰ端末は、切替ユニットに対応できず発信が不可能となる。２台のＩＰ−ＰＢＸ運用中、ＩＰ端末から局線発信した場合に、自分が登録されているＩＰ−ＰＢＸの局線回線が全話中の時に、もう片方のＩＰ−ＰＢＸの局線回線を使用して発信することができない。
【０００８】
ＩＰ端末を使用可能とするために、ＩＰ端末は、ＩＰ−ＰＢＸに対してレジスト（登録）動作が必要となる。このため、片方のＩＰ−ＰＢＸの局線が使用不可となり、もう片方のＩＰ−ＰＢＸの局線を使用するためには、もう片方のＩＰ−ＰＢＸにレジスト（登録）動作を行う必要がある。しかし、ＩＰ端末は、局線発信時にレジスト（登録）動作を実施すると自動的に発信することができない。
【０００９】
その他、既知の技術として、迂回接続と呼ばれるものがある。ＩＰ−ＰＢＸに接続されたＩＰ端末が局線発信（電話回線（局線）を使って外線通話する）した場合に、自ＩＰ−ＰＢＸ内での迂回動作を可能としている。迂回動作とは、複数の公衆網が複数接続されている場合に、Ａ社の公衆網が使用不可であれば、Ｂ社の公衆網を使用する動作である。また、２台のＩＰ−ＰＢＸ運用において、２台のＩＰ−ＰＢＸが専用線で接続されている場合、片方のＩＰ−ＰＢＸの局線が使用不可となった場合、公専接続にて、もう1台のＩＰ−ＰＢＸに接続されている局線にて発信することを可能とするトールバイパスがある。
【先行技術文献】
【特許文献】
【００１０】
【特許文献１】特開平１０‐１２６５０３号公報
【特許文献２】特開２００６‐３１１０４３号公報
【発明の概要】
【発明が解決しようとする課題】
【００１１】
上記の様に、ＩＰ−ＰＢＸを持つシステムで端末から通話する時、ＩＰ−ＰＢＸの局線回線が全話中状態である場合、通話状態にある端末の呼が切断されるという問題がある。また、アナログの電話回線を使用した２つのＰＢＸを持つシステムの切替ユニットは、ＩＰ回線を使用する、ＩＰ端末を用いたＩＰ−ＰＢＸに対応していない。
【００１２】
本発明は、ＩＰ−ＰＢＸの局線回線が全話中状態となった場合に、通話状態にある端末の呼を切断することなく、かつアナログＰＢＸシステムで使用されているような切替ユニットを使用すること無く、新たな呼の発信を可能とする通信システム、ＩＰ−ＰＢＸ、ＩＰ端末、これらの制御方法、及びプログラムの提供を目的とする。
【課題を解決するための手段】
【００１３】
一態様では、通信システムは、
ＩＰネットワークに接続した第１及び第２のＩＰ−ＰＢＸと、前記第１及び第２のＩＰ−ＰＢＸのいずれか１つに選択的に接続される複数のＩＰ端末と、を備えている。そして、前記第１のＩＰ−ＰＢＸは、前記複数のＩＰ端末に接続された通信回線が全使用中状態となった場合に、前記複数のＩＰ端末のうち前記第１のＩＰ−ＰＢＸに接続された少なくとも１つの第１のＩＰ端末に対して回線全使用中情報を通知するよう動作し、前記第１のＩＰ端末は、前記回線全使用中情報を受けたことに応答して、外線通話を行うために、前記第２のＩＰ−ＰＢＸに接続先を変更するよう動作するとともに、前記第２のＩＰ−ＰＢＸに対して前記外線通話のための発信を行うよう動作するよう構成されている。
【００１４】
一態様では、ＩＰ−ＰＢＸは、ＩＰネットワークを通じて、第２のＩＰ−ＰＢＸと通信可能であり、かつ複数のＩＰ端末に接続可能な、制御部を備えている。そして、前記制御部は、前記複数のＩＰ端末と接続状態となるよう動作し、前記第１のＩＰ−ＰＢＸに接続された通信回線が全使用中状態となった場合に、前記複数のＩＰ端末のうち少なくとも１つの第１のＩＰ端末に対して回線全使用中情報を通知するよう動作するよう構成されている。
【００１５】
一態様では、ＩＰ−ＰＢＸは、ＩＰネットワークを通じて、第１のＩＰ−ＰＢＸに接続され、かつ複数のＩＰ端末に接続可能な、制御部を備えている。そして、前記制御部は、前記第１のＩＰ端末が前記回線全使用中情報の通知を受け、前記第１のＩＰ端末から接続要求された場合に、
前記ＩＰ端末と接続するよう動作するよう構成されている。
【００１６】
一態様では、ＩＰ端末は、ＩＰネットワークに接続した、第１及び第２のＩＰ−ＰＢＸと、第１及び第２のＩＰ−ＰＢＸのいずれか１つに選択的に接続される、制御部を備えている。そして、前記制御部は、前記第１のＩＰ−ＰＢＸと接続状態にあり、前記第１のＩＰ−ＰＢＸから前記回線全使用中情報の通知を受信した場合に、外線通話を行うために、前記第２のＩＰ−ＰＢＸに接続先を変更するよう動作し、前記第２のＩＰ−ＰＢＸに対して前記外線通話のための発信を行うよう構成されている。
【発明の効果】
【００１７】
上述した態様は、ＩＰ−ＰＢＸの局線回線が全話中状態となった場合に、通話状態にある端末の呼を切断することなく、かつ切替ユニットを使用すること無く、新たな呼の発信を可能とする通信システム、ＩＰ−ＰＢＸ、ＩＰ端末、これらの制御方法、及びプログラムを提供できる。
【図面の簡単な説明】
【００１８】
【図１】実施の形態１に係るシステムの全体像を示した図である。
【図２】局線回線が全話中になると、ＩＰ端末４に局線全話中状態を通知する図である。
【図３】プライマリＩＰ−ＰＢＸ２の局線回線が全話中状態である。全話中状態の情報を持つＩＰ端末４から発信した場合、セカンダリＩＰ−ＰＢＸ３に接続先を変更してセカンダリＩＰ−ＰＢＸ３の局線回線から発信を行う図である。
【図４】プライマリＩＰ−ＰＢＸ２の局線回線全話中が解除されて全話中解除の情報をＩＰ端末４へ送る図である。
【図５】プライマリＩＰ−ＰＢＸ２の局線回線全話中状態が開始されてから、行われるプライマリＩＰ−ＰＢＸ２とセカンダリＩＰ−ＰＢＸ３の動作を記したフローチャートである。
【図６】セカンダリＩＰ−ＰＢＸ３の動作を記したフローチャート。ＩＰ端末４から接続を要求されてから、局線発信を行い、通話をし、復旧してからＩＰ端末４の接続を外す図である。
【図７】ＩＰ端末４の動作を記したフローチャート。プライマリＩＰ−ＰＢＸ２の局線回線全話中状態と解除を通知される動作図である。
【図８】ＩＰ端末４が局線回線全話中のときに局線発信を行ったときの動作図である。
【発明を実施するための形態】
【００１９】
実施の形態１
以下、図面を参照して本発明の実施の形態について説明する。実施の形態１にかかる装置は図１のように構成されている。プライマリＩＰ−ＰＢＸ２とセカンダリＩＰ−ＰＢＸ３にそれぞれ局線回線５、６が接続されている。ＩＰ端末４の接続先はプライマリにプライマリＩＰ−ＰＢＸ２、セカンダリにセカンダリＩＰ−ＰＢＸ３を設定する。プライマリＩＰ−ＰＢＸ２の局線回線が全話中状態になると、ＩＰ端末４は発信操作の際にセカンダリに登録されたセカンダリＩＰ−ＰＢＸ３に接続先を変更し、セカンダリＩＰ−ＰＢＸ３の局線回線６から局線発信を行う。
【００２０】
図２に示すように、プライマリＩＰ−ＰＢＸ２は局線回線が全話中状態になると、自局のＩＰ端末４に対して局線回線全話中という情報を通知する。図３に示すように、ＩＰ端末４は、プライマリＩＰ−ＰＢＸ２から全話中の情報を受け取ると、セカンダリＩＰ−ＰＢＸ３へ接続先を変更する。セカンダリＩＰ−ＰＢＸ３への接続が完了すると、セカンダリＩＰ−ＰＢＸ３を使用して自動的に再発信する。
【００２１】
通話が終了し、ＩＰ端末４が復旧する（通信を終了し、オンフック状態となった時）とセカンダリＩＰ−ＰＢＸ３に接続されていたＩＰ端末４は、プライマリＩＰ−ＰＢＸ２へと接続先を再度変更し、図１の状態になる。図４に示すように、プライマリＩＰ−ＰＢＸ２の局線回線全話中状態が解除された場合、ＩＰ端末４に局線回線全話中解除が通知される。そして、その状態でＩＰ端末４から発信すると、プライマリＩＰ−ＰＢＸ２の局線回線で発信する。
【００２２】
以下、各装置の個別の動作を説明する。
（１）プライマリＩＰ−ＰＢＸ２
図１に示すように、プライマリＩＰ−ＰＢＸ２は制御部１００を備えている。制御部１００の動作は、図５に示す通り、運用中（７）に局線回線が全話中状態の場合（８）、接続されているＩＰ端末４に対して局線全話中の状況を通知する（９）。そして、プライマリＩＰ−ＰＢＸ２は、局線回線の全話中状態が解除された場合（１０）、ＩＰ端末に対して局線全話中解除の状況を通知する（１１）。
【００２３】
（２）セカンダリＩＰ−ＰＢＸ３
図１に示すように、セカンダリＩＰ−ＰＢＸ３は制御部１１０を備えている。制御部１１０の動作は、図６に示す通り、運用中（１２）に局線回線の全話中状態の場合（８）、ＩＰ端末４から接続を要求される（１３）。そして、セカンダリＩＰ−ＰＢＸ３は、ＩＰ端末４を接続する（１４）。次に、セカンダリＩＰ−ＰＢＸ３は、局線発信を行う（１５）。そして、ＩＰ端末４と発信先を通話状態にする（１６）。その時、セカンダリＩＰ−ＰＢＸ３は、ＩＰ端末４の通話状態を監視する（１７）。そして、セカンダリＩＰ−ＰＢＸ３は、ＩＰ端末４が通話中の場合は通話状態を維持する（１８）。ＩＰ端末４が通話を終えたら、セカンダリＩＰ−ＰＢＸ３は、ＩＰ端末４の接続を外す（１９）。
【００２４】
（３）ＩＰ端末４
図１に示すように、ＩＰ端末４は制御部２００を備えている。制御部２００の動作は、以下のとおりである。図７は、全話中時の発信動作しない制御部２００について示している。制御部２００は、プライマリＩＰ−ＰＢＸ２から回線全話中の情報を受信する（２０）。次に、制御部２００は、受信したプライマリＩＰ−ＰＢＸの局線状況を保持する（２１）。次に、制御部２００は、プライマリＩＰ−ＰＢＸから全話中解除情報を受信する（２２）。次に、制御部２００は、受信したプライマリＩＰ−ＰＢＸの局線状況をクリアする（２３）。そうすると、回線全話中解除の情報を受信した後は、発信時に通常通りプライマリＩＰ−ＰＢＸ２の局線回線を使用した局線発信を行う。
【００２５】
図８は全話中時の制御部２００の発信動作について示している。制御部２００は、回線全話中の情報を受信した場合（２４）に、局線発信が行われると（２５）、セカンダリＩＰ−ＰＢＸ３へと接続先を変更する要求をする２６。制御部２００は、セカンダリＩＰ−ＰＢＸに接続される（２７）。制御部２００は、セカンダリＩＰ−ＰＢＸから発信する（２８）。ＩＰ端末４は、セカンダリＩＰ−ＰＢＸ３での通話が終了（３０）する。制御部２００は、セカンダリＩＰ−ＰＢＸから接続を外される（３１）。制御部２００は、プライマリＩＰ−ＰＢＸに接続を要求する（３２）。制御部２００は、プライマリＩＰ−ＰＢＸに接続される（３３）。
【００２６】
発明の他の実施の形態
上記例の他の実施例を示す。プライマリＩＰ−ＰＢＸ２が局線回線全話中状態になり、全話中情報をＩＰ端末４に送った時点で、あらかじめセカンダリＩＰ−ＰＢＸ３に接続を変更する。
【００２７】
プライマリＩＰ−ＰＢＸ２の回線全話中状態が解除された場合、プライマリＩＰ−ＰＢＸ２からセカンダリＩＰ−ＰＢＸ３に回線話中状態解除の情報を渡す。そして、端末の接続をプライマリＩＰ−ＰＢＸ２に戻す、というＩＰ−ＰＢＸの制御方法も可能である。
【００２８】
また、プライマリＩＰ−ＰＢＸ２の回線全話中状態が解除された場合、プライマリＩＰ−ＰＢＸ２からＩＰ端末４に回線話中状態解除の情報を渡す。そして、端末の接続をプライマリＩＰ−ＰＢＸ２に戻す、というＩＰ−ＰＢＸの制御方法も可能である。
【００２９】
さらに、プライマリＩＰ−ＰＢＸ２が局線回線全話中状態になり、ＩＰ端末４が、セカンダリＩＰ−ＰＢＸと回線接続が切り替えられた状態で、一定時間（例えば１０分）経過していた場合に自動的にプライマリＩＰ−ＰＢＸ２にＩＰ端末４の接続を戻す、というＩＰ−ＰＢＸの制御方法も可能である。
【００３０】
上記実施例によれば、ＩＰ端末４からセカンダリＩＰ−ＰＢＸ３に接続要求する必要がなくなる。また、プライマリＩＰ−ＰＢＸ２からＩＰ端末４に局線回線全話中解除の通知をする必要がない。該実施例を用いると、ネットワークに対する通信トラヒック負荷を低減できる。
【００３１】
実際の外線番号をダイヤルする場合の実施例を示す。プライマリＩＰ−ＰＢＸ２経由で、局線発信を行うときの番号の頭が"０"から始まるとする。ＩＰ端末４は局線回線全話中の情報を受け取る。その状態でＩＰ端末４が"０"から始まる番号をダイヤルすると（外線番号をダイヤルすると）、セカンダリＩＰ−ＰＢＸ３に接続を要求し、セカンダリＩＰ−ＰＢＸ３は接続を許可する。セカンダリＩＰ−ＰＢＸ３ではＩＰ端末４を接続後、局線回線全話中とＩＰ端末４の発信先を確認し、セカンダリＩＰ−ＰＢＸ３の局線回線から発信を行う。
【００３２】
以上、上述した実施の形態によると、プライマリＩＰ−ＰＢＸの局線回線が全話中状態となった場合、一時的にＩＰ端末の収容先をセカンダリＩＰ−ＰＢＸへと変更し、セカンダリＩＰ−ＰＢＸの局線からの発信を可能となる。また、外部装置を用いることなしに、ＩＰ−ＰＢＸを切り替える通信システムの提供が可能となる。
【００３３】
なお、本発明は上記実施の形態に限られたものではなく、趣旨を逸脱しない範囲で適宜変更することが可能である。例えば、上記例では２つのＩＰ−ＰＢＸで構成されたシステムを示したが、複数のＩＰ−ＰＢＸで構成されたシステムとしてもよい。また、ＩＰセントレックスシステムを用いて、地理的に離れた複数の場所にＩＰ−ＰＢＸを分散配置し、ＩＰネットワーク上で結合して一つの大規模なシステムとして動作する分散ＩＰ−ＰＢＸシステムとしてもよい。
【００３４】
本実施形態で述べたＩＰ−ＰＢＸの制御部並びにＩＰ端末の制御部の動作、機能、または、ＩＰ−ＰＢＸの制御方法、及びＩＰ端末の制御方法は、ＡＳＩＣ（Application Specific Integrated Circuit）を含む半導体処理装置を用いて実現されてもよい。また、この方法は、少なくとも１つのプロセッサ（e.g. マイクロプロセッサ、ＭＰＵ、ＤＳＰ（Digital Signal
Processor））を含むコンピュータシステムにプログラムを実行させることによって実現されてもよい。具体的には、フローチャート等を用いて説明されたバイアス電圧制御に関するアルゴリズムをコンピュータシステムに行わせるための命令群を含む１又は複数のプログラムを作成し、当該プログラムをコンピュータに供給すればよい。
【００３５】
これらのプログラムは、様々なタイプの非一時的なコンピュータ可読媒体（non-transitory
computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３６】
上記の実施形態の一部又は全部は、以下の付記のようにも記載されうるが、以下には限られない。
（付記１）
ＩＰネットワークに接続した第１及び第２のＩＰ−ＰＢＸと、
前記第１及び第２のＩＰ−ＰＢＸのいずれか１つに選択的に接続される複数のＩＰ端末と、
を備え、
前記第１のＩＰ−ＰＢＸは、前記第１のＩＰ−ＰＢＸに接続された通信回線が全使用中状態となった場合に、前記複数のＩＰ端末のうち前記第１のＩＰ−ＰＢＸに接続された少なくとも１つの第１のＩＰ端末に対して回線全使用中情報を通知するよう動作し、
前記第１のＩＰ端末は、前記回線全使用中情報を受けたことに応答して、外線通話を行うために、前記第２のＩＰ−ＰＢＸに接続先を変更するよう動作するとともに、前記第２のＩＰ−ＰＢＸに対して前記外線通話のための発信を行うよう動作する、
通信システム。
（付記２）
前記第１のＩＰ端末は、前記外線通話の終了後に、前記第２のＩＰ−ＰＢＸから前記第１のＩＰ−ＰＢＸへ接続先を再度変更するよう動作する、付記１に記載の通信システム。
（付記３）
前記第１のＩＰ−ＰＢＸは、前記第１のＩＰ端末からの発信を受信したことに応答して、前記回線全使用中情報を前記第１のＩＰ端末に送信し、
前記第１のＩＰ端末は、前記回線全使用中情報の受信に応答して外線通話を行うため発信を前記第２のＩＰ−ＰＢＸに再送する、
付記１又は２に記載の通信システム。
【００３７】
（付記４）
前記第１のＩＰ−ＰＢＸは、前記第１のＩＰ端末からの発信の有無に関わらず、前記通信回線が全使用中状態となったことに応じて、前記第１のＩＰ端末に前記回線全使用中情報を送信し、
前記第１のＩＰ端末は、前記回線全使用中情報の受信に応答して、前記第１のＩＰ端末からの発信の有無に関わらず、あらかじめ前記第２のＩＰ−ＰＢＸに接続先を変更する、
付記１又は２に記載の通信システム。
（付記５）
前記第１のＩＰ−ＰＢＸは、前記全使用中状態か解消したことに応じて、解除情報を前記第１のＩＰ端末に送信するよう動作し、
前記第１のＩＰ端末は、前記解除情報の受信に応じて、外線通話を行うための発信先を前記第１のＩＰ−ＰＢＸに戻す、
付記４に記載の通信システム。
（付記６）
前記第２のＩＰ−ＰＢＸは、前記外線通話の終了に応じて、前記第１のＩＰ端末との接続を解除する、付記１〜５のいずれか１項に記載の通信システム。
【００３８】
（付記７）
前記第１のＩＰ−ＰＢＸが、前記全使用中状態になり、
前記回線全使用中情報を前記第１のＩＰ端末に送った時点で
外線通話を行うための発信先を予め前記第２のＩＰ−ＰＢＸに変更する、
付記１〜２のいずれか１項に記載の通信システム。
（付記８）
前記第２のＩＰ−ＰＢＸは、外線通話を行うための発信先を予め前記第２のＩＰ−ＰＢＸに変更されてから一定時間経過後に、
前記第１のＩＰ端末との接続を解除する、付記７記載の通信システム。
（付記９）
前記第１のＩＰ−ＰＢＸの前記全使用中状態が解除された時点で、前記第１のＩＰ−ＰＢＸから前記第２のＩＰ−ＰＢＸに前記解除情報を送信し、
前記第１のＩＰ端末の外線通話を行うための発信先を前記第１のＩＰ−ＰＢＸに戻す、
付記７に記載の通信システム。
【００３９】
（付記１０）
前記第１のＩＰ−ＰＢＸの前記全使用中状態が解除された時点で、前記第１のＩＰ−ＰＢＸから前記第２のＩＰ−ＰＢＸに前記解除情報を送信し、
前記第１のＩＰ端末の外線通話を行うための発信先を前記第１のＩＰ−ＰＢＸに戻す、
付記７に記載の通信システム。
（付記１１）
ＩＰネットワークを通じて、第２のＩＰ−ＰＢＸと通信可能であり、かつ複数のＩＰ端末に接続可能な、制御部を備えた、第１のＩＰ−ＰＢＸであって、
前記制御部は、
前記複数のＩＰ端末と接続状態となるよう動作し、
前記第１のＩＰ−ＰＢＸに接続された通信回線が全使用中状態となった場合に、
前記複数のＩＰ端末のうち少なくとも１つの第１のＩＰ端末に対して回線全使用中情報を通知するよう動作する、
ＩＰ−ＰＢＸ。
（付記１２）
前記制御部は、
前記第１のＩＰ端末からの発信の有無に関わらず、前記通信回線が全使用中状態となったことに応じて、前記第１のＩＰ端末に前記回線全使用中情報を送信する動作をする、
付記１１に記載のＩＰ−ＰＢＸ。
【００４０】
（付記１３）
前記制御部は、
前記全使用中状態か解消したことに応じて、前記解除情報を前記第１のＩＰ端末に送信するよう動作する、
付記１１から１２記載のＩＰ−ＰＢＸ。
（付記１４）
前記制御部は、
前記全使用中状態か解消したことに応じて、前記解除情報を前記第２のＩＰ−ＰＢＸに送信するよう動作する、
付記１１から１３記載のＩＰ−ＰＢＸ。
（付記１５）
ＩＰネットワークを通じて、第１のＩＰ−ＰＢＸと通信可能であり、かつ複数のＩＰ端末に接続可能な、制御部を備えた、第２のＩＰ−ＰＢＸであって、
前記制御部は、
前記第１のＩＰ端末が前記回線全使用中情報の通知を受け、前記第１のＩＰ端末から接続要求された場合に、
前記ＩＰ端末と接続するよう動作する、
ＩＰ−ＰＢＸ。
【００４１】
（付記１６）
前記制御部は、
前記外線通話の終了に応じて、前記第１のＩＰ端末との接続を解除するよう動作する、
付記１５に記載のＩＰ−ＰＢＸ。
（付記１７）
前記制御部は、
前記第１のＩＰ−ＰＢＸが、
前記回線全使用中情報を前記第１のＩＰ端末に送った時点で
予め、前記第１のＩＰ端末と接続し、外線通話を行うよう制御をする、
付記１５に記載のＩＰ−ＰＢＸ。
（付記１８）
前記制御部は、
予め、前記第１のＩＰ端末と接続し、外線通話を行うよう制御をしてから一定時間経過後に、
前記第１のＩＰ端末との接続を解除する、付記１７記載のＩＰ−ＰＢＸ。
【００４２】
（付記１９）
前記制御部は、
前記第１のＩＰ−ＰＢＸの前記全使用中状態が解除された時点で、前記第１のＩＰ−ＰＢＸから前記解除情報を受信し、
前記第１のＩＰ端末との接続を解除する、
付記１７に記載のＩＰ−ＰＢＸ。
（付記２０）
ＩＰネットワークに接続した、第１及び第２のＩＰ−ＰＢＸのいずれか１つに選択的に接続される、制御部を備えた、ＩＰ端末であって、
前記制御部は、
前記第１のＩＰ−ＰＢＸと接続状態にあり、
前記第１のＩＰ−ＰＢＸから前記回線全使用中情報の通知を受信した場合に、
外線通話を行うために、前記第２のＩＰ−ＰＢＸに接続先を変更するよう動作し、
前記第２のＩＰ−ＰＢＸに対して前記外線通話のための発信を行うよう動作する、
ＩＰ端末
（付記２１）
前記制御部は、
前記外線通話の終了後に、前記第２のＩＰ−ＰＢＸから前記第２のＩＰ−ＰＢＸへ接続先を再度変更するよう動作する、
付記２０に記載のＩＰ端末。
【００４３】
（付記２２）
前記制御部は、
前記回線全使用中情報を受信し、
前記受信に応答して外線通話を行うため発信を前記第２のＩＰ−ＰＢＸに再送する、
よう動作する、
付記２０又は２１に記載のＩＰ端末。
（付記２３）
前記第１のＩＰ−ＰＢＸが、前記制御部からの発信の有無に関わらず、前記通信回線が全使用中状態となったことに応じて、前記制御部に前記回線全使用中情報を送信した場合、
前記制御部は、前記回線全使用中情報の受信に応答して、前記制御部からの発信の有無に関わらず、あらかじめ前記第２のＩＰ−ＰＢＸに接続先を変更する、
よう動作する、
付記２１又は２２に記載のＩＰ端末。
【００４４】
（付記２４）
前記第１のＩＰ−ＰＢＸが、前記全使用中状態か解消したことに応じて、解除情報を前記制御部に送信した場合、
前記制御部は、
前記解除情報の受信に応じて、外線通話を行うための発信先を前記第１のＩＰ−ＰＢＸに戻す、
よう動作する
付記２０〜２３に記載のＩＰ端末。
（付記２５）
前記第１のＩＰ−ＰＢＸが、前記全使用中状態になり、
前記回線全使用中情報を前記制御部に送った時点で
外線通話を行うための発信先を予め前記第２のＩＰ−ＰＢＸに変更する、
よう動作する
付記２０に記載のＩＰ端末。
（付記２６）
前記第２のＩＰ−ＰＢＸが、外線通話を行うための発信先を予め前記第２のＩＰ−ＰＢＸに変更されてから一定時間経過後に、
前記制御部は
前記第１のＩＰ−ＰＢＸに接続状態を戻す、
よう動作する、
付記２５記載のＩＰ端末。
【００４５】
（付記２７）
前記第１のＩＰ−ＰＢＸの前記全使用中状態が解除された時点で、前記第１のＩＰ−ＰＢＸから前記第２のＩＰ−ＰＢＸに前記解除情報を送信した場合、
前記制御部は、外線通話を行うための発信先を前記第１のＩＰ−ＰＢＸに戻す、
よう動作する、
付記２５に記載のＩＰ端末。
（付記２８）
ＩＰネットワークを通じて、第２のＩＰ−ＰＢＸと通信可能であり、かつ複数のＩＰ端末に接続可能な第１のＩＰ−ＰＢＸの制御方法であって、
前記複数のＩＰ端末と接続状態となるよう動作すること、
前記複数のＩＰ−ＰＢＸに接続された通信回線が全使用中状態となった場合に、
前記複数のＩＰ端末のうち前記第１のＩＰ−ＰＢＸに接続された少なくとも１つの第１のＩＰ端末に対して回線全使用中情報を通知するよう動作すること、
を含む、
ＩＰ−ＰＢＸの制御方法。
（付記２９）
前記制御方法は、
前記第１のＩＰ端末からの発信の有無に関わらず、前記通信回線が全使用中状態となったことに応じて、前記第１のＩＰ端末に前記回線全使用中情報を送信する動作をすること、
を含む、
付記２８に記載のＩＰ−ＰＢＸの制御方法。
【００４６】
（付記３０）
前記制御方法は、
前記全使用中状態か解消したことに応じて、前記解除情報を前記第１のＩＰ端末に送信するよう動作すること、
を含む、
付記２８から２９記載のＩＰ−ＰＢＸの制御方法。
（付記３１）
前記制御方法は、
前記全使用中状態か解消したことに応じて、前記解除情報を前記第２のＩＰ−ＰＢＸに送信するよう動作すること、
を含む、
付記２８から３０記載のＩＰ−ＰＢＸの制御方法。
（付記３２）
ＩＰネットワークを通じて、第１のＩＰ−ＰＢＸと通信可能であり、かつ複数のＩＰ端末に接続可能な第２のＩＰ−ＰＢＸの制御方法あって、
前記第１のＩＰ端末が前記回線全使用中情報の通知を受け、前記第１のＩＰ端末から接続要求された場合に、
前記ＩＰ端末と接続するよう動作すること、
を含む、
ＩＰ−ＰＢＸの制御方法。
（付記３３）
前記制御方法は、
前記外線通話の終了に応じて、前記第１のＩＰ端末との接続を解除するよう動作すること、
を含む、
付記３２に記載のＩＰ−ＰＢＸの制御方法。
【００４７】
（付記３４）
前記制御方法は、
前記第１のＩＰ−ＰＢＸが、
前記回線全使用中情報を前記第１のＩＰ端末に送った時点で
予め、前記第１のＩＰ端末と接続し、外線通話を行うよう制御をすること、
を含む、
付記３３に記載のＩＰ−ＰＢＸの制御方法。
（付記３５）
前記制御方法は、
予め、前記第１のＩＰ端末と接続し、外線通話を行うよう制御をしてから一定時間経過後に、
前記第１のＩＰ端末との接続を解除すること、
を含む
付記３４記載のＩＰ−ＰＢＸの制御方法。
（付記３６）
前記制御方法は、
前記第１のＩＰ−ＰＢＸの前記全使用中状態が解除された時点で、前記第１のＩＰ−ＰＢＸから前記解除情報を受信し、前記第１のＩＰ端末との接続を解除すること、
付記３４に記載のＩＰ−ＰＢＸの制御方法。
【００４８】
（付記３７）
ＩＰネットワークに接続した第１及び第２のＩＰ−ＰＢＸと、
第１及び第２のＩＰ−ＰＢＸのいずれか１つに選択的に接続される
ＩＰ端末の制御方法であって、
前記制御方法は、
前記第１のＩＰ−ＰＢＸと接続状態にあり、
前記第１のＩＰ−ＰＢＸから前記回線全使用中情報の通知を受信した場合に、
外線通話を行うために、前記第２のＩＰ−ＰＢＸに接続先を変更するよう動作すること、
前記第２のＩＰ−ＰＢＸに対して前記外線通話のための発信を行うよう動作すること、
を含む、
ＩＰ端末の制御方法。
（付記３８）
前記制御方法は、
前記外線通話の終了後に、前記第２のＩＰ−ＰＢＸから前記第２のＩＰ−ＰＢＸへ接続先を再度変更するよう動作すること、
を含む、
付記３７に記載のＩＰ端末の制御方法。
（付記３９）
前記制御方法は、
前記回線全使用中情報を受信すること、
前記受信に応答して外線通話を行うため発信を前記第２のＩＰ−ＰＢＸに再送すること、
を含む、
付記３７又は３８記載のＩＰ端末の制御方法。
【００４９】
（付記４０）
前記第１のＩＰ−ＰＢＸが、前記制御部からの発信の有無に関わらず、前記通信回線が全使用中状態となったことに応じて、前記制御部に前記回線全使用中情報を送信した場合、
前記回線全使用中情報の受信に応答して、前記制御部からの発信の有無に関わらず、あらかじめ前記第２のＩＰ−ＰＢＸに接続先を変更すること、
を含む、
付記３７又は３８記載のＩＰ端末の制御方法。
（付記４１）
前記第１のＩＰ−ＰＢＸが、前記全使用中状態か解消したことに応じて、解除情報を前記制御部に送信した場合、
前記解除情報の受信に応じて、外線通話を行うための発信先を前記第１のＩＰ−ＰＢＸに戻すこと、
を含む、
付記３７に記載のＩＰ端末の制御方法。
（付記４２）
前記第１のＩＰ−ＰＢＸが、前記全使用中状態になり、
前記回線全使用中情報を前記制御部に送った時点で、
外線通話を行うための発信先を予め前記第２のＩＰ−ＰＢＸに変更すること、
を含む、
付記３７記載のＩＰ端末の制御方法。
【００５０】
（付記４３）
前記第２のＩＰ−ＰＢＸが、外線通話を行うための発信先を予め前記第２のＩＰ−ＰＢＸに変更されてから一定時間経過後に、
前記第１のＩＰ−ＰＢＸに接続状態を戻すこと、
を含む、
付記３７記載のＩＰ端末の制御方法。
（付記４４）
前記第１のＩＰ−ＰＢＸの前記全使用中状態が解除された時点で、前記第１のＩＰ−ＰＢＸから前記第２のＩＰ−ＰＢＸに前記解除情報を送信した場合、
外線通話を行うための発信先を前記第１のＩＰ−ＰＢＸに戻すこと、
を含む、
付記３７に記載のＩＰ端末の制御方法。
【００５１】
（付記４５）
付記２８〜３１いずれか１項に記載の方法をコンピュータに実行させる、プログラム。
（付記４６）
付記３２〜３６いずれか１項に記載の方法をコンピュータに実行させる、プログラム。
（付記４７）
付記３７〜４４いずれか１項に記載の方法をコンピュータに実行させる、プログラム。
【符号の説明】
【００５２】
１  システム全体
２  プライマリＩＰ−ＰＢＸ
３  セカンダリＩＰ−ＰＢＸ
４  ＩＰ端末
５  プライマリＩＰ−ＰＢＸの局線回線
６  セカンダリＩＰ−ＰＢＸの局線回線
１００  プライマリＩＰ−ＰＢＸの制御部
１１０  セカンダリＩＰ−ＰＢＸの制御部
２００  ＩＰ端末の制御部
【図１】
2014068248.tif 000003
【図２】
2014068248.tif 000004
【図３】
2014068248.tif 000005
【図４】
2014068248.tif 000006
【図５】
2014068248.tif 000007
【図６】
2014068248.tif 000008
【図７】
2014068248.tif 000009
【図８】
2014068248.tif 000010